(57)【要約】【課題】  回路規模の増大を抑制しつつ、表示手段で表示される映像の画質の向上を図る。【解決手段】  この映像処理装置１は、外部から入力されるアナログの映像信号が表す映像を、表示手段としての表示装置５０において最適な画質で表示できるような映像データに変換するためのものであり、Ａ／Ｄ変換部１０、画質調整部２１、拡縮部２２、合成部２３、最終調整部２４、ＲＯＭ３０及びメモリ４０を備えている。そして、画質調整部２１において、映像データに対する複数の画質調整処理として、ガンマ補正と、オフセット演算と、コントラスト調整とが、共通のルックアップテーブルを用いて一度に行われるようになっている。したがって、ガンマ補正以外の画質調整処理を行うことによる回路規模の増大を抑えつつ、表示装置５０で表示される映像の画質を向上させることができる。【選択図】  図１
2005123714.tif 000002
【特許請求の範囲】
【請求項１】
映像データに対して少なくともガンマ補正を含む２以上の画質調整処理を行い、該画質調整処理後の映像データを表示手段へ出力する映像処理装置において、
前記２以上の画質調整処理を共通のルックアップテーブルを用いて一度に行うこと、
を特徴とする映像処理装置。
【請求項２】
請求項１に記載の映像処理装置において、
前記画質調整処理として、オフセット演算を行うこと、
を特徴とする映像処理装置。
【請求項３】
請求項１又は請求項２に記載の映像処理装置において、
前記画質調整処理として、コントラスト調整を行うこと、
を特徴とする映像処理装置。
【請求項４】
請求項１ないし請求項３のいずれか１項に記載の映像処理装置において、
前記映像データを一時的に記憶する記憶手段を備え、
前記画質調整処理を、前記記憶手段に記憶する前の映像データに対して行うこと、
を特徴とする映像処理装置。
【発明の詳細な説明】
【技術分野】
【０００１】
本発明は、表示手段の表示特性に応じた最適な画質で映像が表示されるように映像データを処理する映像処理装置に関するものである。
【背景技術】
【０００２】
従来、表示手段の表示特性に応じて映像データを補正するための画質調整処理として、ガンマ補正（γ補正）が知られている。
例えば、Ａ／Ｄ変換後の映像データをメモリ回路に入力する前の段階と、メモリ回路から出力された映像データを表示手段としての液晶パネルに入力する前の段階とで、ガンマ補正を行うようにしたものがある（例えば、特許文献１参照。）。
【特許文献１】特開昭６３−２７１４９７号公報
【発明の開示】
【発明が解決しようとする課題】
【０００３】
ところで、画質調整処理としては、こうしたガンマ補正以外にも、例えばオフセット演算やコントラスト調整等が知られている。そして、ガンマ補正に加えてこのような画質調整処理を行うことにより、表示手段で表示される映像の画質を一層向上させることができる。
【０００４】
しかしながら、多種類の画質調整処理を行う場合ほど回路規模が大きくなってしまうという問題がある。
本発明は、こうした問題にかんがみてなされたものであり、回路規模の増大を抑制しつつ、表示手段で表示される映像の画質の向上を図ることを目的としている。
【課題を解決するための手段】
【０００５】
上記目的を達成するためになされた請求項１に記載の映像処理装置では、映像データに対して、少なくともガンマ補正を含む２以上の画質調整処理が共通のルックアップテーブルを用いて一度に行われる。つまり、本映像処理装置では、各画質調整処理が別々に行われるのではなく、各画質調整処理があらかじめ加味されたルックアップテーブルを用いることで、２以上の画質調整処理が一度に行われるようになっている。したがって、本映像処理装置によれば、ガンマ補正以外の画質調整処理を行うことによる回路規模の増大を抑えつつ、表示手段で表示される映像の画質の向上を図ることができる。
【０００６】
ここで、ガンマ補正以外の画質調整処理としては、例えば請求項２に記載のようにオフセット演算や、請求項３に記載のようにコントラスト調整を行うことができる。
また、請求項４に記載の映像処理装置では、記憶手段に一時的に記憶させる前の映像データに対して画質調整処理が行われる。つまり、本映像処理装置では、画質調整処理を行った後で、映像データを記憶手段に記憶させるようにしている。したがって、本映像処理装置によれば、記憶手段に記憶させる映像データの精度を低くして記憶手段に必要な記憶容量を節減しつつ、画質調整処理については、精度を落とす前の（高い精度の）映像データに対して行うことで、画質を一層向上させることができる。
【発明を実施するための最良の形態】
【０００７】
以下、本発明が適用された実施形態について、図面を用いて説明する。
図１は、実施形態の映像処理装置１の概略構成を表すブロック図である。
同図に示すように、この映像処理装置１は、車両に搭載されており、外部から入力されるアナログの映像信号が表す映像を、表示手段としての表示装置（本実施形態では、液晶ディスプレイ）５０において最適な画質で表示できるような映像データに変換するためのものであり、Ａ／Ｄ変換部１０と、画質調整部２１と、拡縮部２２と、合成部２３と、最終調整部２４と、ＲＯＭ３０と、メモリ４０とを備えている。なお、本映像処理装置１において、画質調整部２１、拡縮部２２、合成部２３及び最終調整部２４は、マイクロプロセッサ２０により構成されている。
【０００８】
Ａ／Ｄ変換部１０は、アナログの入力映像信号（例えば、ナビゲーション装置からの映像信号や、ＮＴＳＣ信号）を、８ビット（ビット数は任意）のデジタルの映像データに変換して画質調整部２１へ出力する。
【０００９】
画質調整部２１は、Ａ／Ｄ変換部１０から出力された８ビット（ビット数は任意）の映像データに対して画質調整処理を行うことにより６ビットの映像データに変換し、この映像データを拡縮部２２へ出力する。すなわち、画質調整部２１は、ＲＯＭ３０にあらかじめ記憶されているルックアップテーブルを用いて映像データ（具体的には、映像データの各画素値）を変換することで、画質調整処理を行う。ここで、ＲＯＭ３０に記憶されているルックアップテーブルには、映像データに対し、ガンマ補正、オフセット演算及びコントラスト調整の３つの画像調整処理を行うことで得られる値が格納されている。つまり、画質調整部２１においては、入力された映像データに対して、ガンマ補正と、オフセット演算と、コントラスト調整とが、共通のルックアップテーブルを用いて一度に行われるようになっている。
【００１０】
拡縮部２２は、画質調整部２１から出力された６ビットの映像データに対して、この映像データを一時的に記憶させるための記憶手段としてのメモリ４０を用いることにより画像の拡大や縮小といった周知の処理を行う。そして、拡縮部２２は、処理後の映像データを合成部２３へ出力する。
【００１１】
合成部２３は、拡縮部２２からの映像データが表す画像に、図示しない他の回路からの映像データが表す画像を合成する周知の処理を行い、その処理後の映像データを最終調整部２４へ出力する。
【００１２】
最終調整部２４は、画質調整部２１で行われるガンマ補正を補完するためのガンマ補正を行った後、その補正後の映像データを表示装置５０へ出力する。すなわち、本映像処理装置１においては、映像データに対するガンマ補正を前段部分（具体的には画質調整部２１）で行うようにしていることから、その後の処理（拡縮部２２及び合成部２３における処理）の影響等により、再度補正が必要となる場合や、画質調整部２１でのガンマ補正のみでは十分な補正を行うことができない（補正し切れない）場合がある。そこで、本映像処理装置１では、表示装置５０の直前に最終調整部２４を設けることにより、映像データを表示装置５０へ出力する前の最終的な微調整を行うようにしているのである。
【００１３】
以上のように、本実施形態の映像処理装置１では、映像データに対する画質調整処理として、ガンマ補正と、オフセット演算と、コントラスト調整とが、共通のルックアップテーブルを用いて一度に行われる。したがって、本映像処理装置１によれば、ガンマ補正以外の画質調整処理（本実施形態では、オフセット演算及びコントラスト調整）を行うことによる回路規模の増大を抑えつつ、表示装置５０で表示される映像の画質を向上させることができる。
【００１４】
また、本実施形態の映像処理装置１では、メモリ４０に記憶される前の８ビット（ビット数は任意）の映像データに対して画質調整処理が行われ、その画質調整処理後の６ビットの映像データがメモリ４０に記憶される。したがって、本映像処理装置１によれば、メモリ４０に記憶させる映像データのビット数（つまり、映像データの精度）を低くしているため、記憶容量の小さいメモリ４０を用いることができ、しかも、画質調整処理については高いビット数の（高精度の）映像データに対して行うため、画質を一層向上させることができる。
【００１５】
以上、本発明の一実施形態について説明したが、本発明は、種々の形態を採り得ることは言うまでもない。
例えば、画質調整部２１におけるガンマ補正のみによっても良好な結果が得られるのであれば、最終調整部２４を設けずに構成してもよい。
【図面の簡単な説明】
【００１６】
【図１】実施形態の映像処理装置の概略構成を表すブロック図である。
【符号の説明】
【００１７】
１…映像処理装置、１０…Ａ／Ｄ変換部、２０…マイクロプロセッサ、２１…画質調整部、２２…拡縮部、２３…合成部、２４…最終調整部、３０…ＲＯＭ、４０…メモリ、５０…表示装置
【図１】
2005123714.tif 000003